(57)【要約】【課題】ＯＦＤＭ変調信号の受信状態をユーザーが大まかに把握して受信品質を向上させる措置を講じることができるＯＦＤＭ変調信号受信装置を提供する。【解決手段】ＯＦＤＭ変調信号を復調してサブキャリア毎に変調座標上の復調信号値を得る復調部と、当該サブキャリア信号値と所定の判定値とを比較して得られた比較結果値を当該サブキャリアの分布周波数区間毎に総計して当該分布周波数区間毎の区間内総計値として算出する区間内総計値算出部と、当該分布周波数区間毎に当該区間内総計値に応じて１つのノイズレベルデータを記憶する選択記憶部と、を有する。【選択図】図１
2014023107.tif 000002
【特許請求の範囲】
【請求項１】
ＯＦＤＭ変調信号を復調するＯＦＤＭ変調信号復調器であって、
前記ＯＦＤＭ変調信号を復調してサブキャリア毎に変調座標上の復調信号値を得る復調部と、
前記復調信号値と所定の判定値とを比較して得られた比較結果値を前記サブキャリアの分布周波数区間毎に総計して前記分布周波数区間毎の区間内総計値を算出する区間内総計値算出部と、
前記分布周波数区間毎に前記区間内総計値に応じて１つのノイズレベルデータを記憶する選択記憶部と、を含むことを特徴とするＯＦＤＭ変調信号復調器。
【請求項２】
前記区間内総計値は、１の分布周波数区間内に含まれる前記復調信号値のうち、前記判定値を上回るものの合計個数であることを特徴とする請求項１に記載のＯＦＤＭ変調信号復調器。
【請求項３】
前記区間内総計値は、１の分布周波数区間内に含まれる前記復調信号値のうち、前記判定値を上回るもの各々と前記判定値との差分の積分値であることを特徴とする請求項１に記載のＯＦＤＭ変調信号復調器。
【請求項４】
前記変調座標は、デジタル変調方式におけるコンスタレーションであって、
前記判定値は、前記コンスタレーション上の座標によって定められることを特徴とする請求項１に記載のＯＦＤＭ変調信号受信装置。
【請求項５】
前記復調部は、前記ＯＦＤＭ変調信号をそのデータシンボル毎に復調し、
前記区間内総計値算出部は、前記分布周波数区間毎の前記区間内総計値を前記データシンボル毎に算出することを特徴とする請求項１に記載のＯＦＤＭ変調信号受信装置。
【請求項６】
前記選択記憶部は、前記区間内総計値に応じて複数のノイズレベルデータのうちから選択した１つを前記１つのノイズレベルデータとすることを特徴とする請求項１に記載のＯＦＤＭ変調信号復調器。
【請求項７】
ＯＦＤＭ変調信号を受信してこれを復調するＯＦＤＭ変調信号受信装置であって、
前記ＯＦＤＭ変調信号を復調してサブキャリア毎に変調座標上の復調信号値を得る復調部と、
前記復調信号値と所定の判定値とを比較して得られた比較結果値を前記サブキャリアの分布周波数区間毎に総計して前記分布周波数区間毎の区間内総計値を算出する区間内総計値算出部と、
前記分布周波数区間毎に複数のノイズレベルデータのうちから前記区間内総計値に応じて１つのノイズレベルデータを選択してこれを出力する出力部と、含むことを特徴とするＯＦＤＭ変調信号受信装置。
【請求項８】
前記区間内総計値は、１の分布周波数区間内に含まれる前記復調信号値のうち、前記判定値を上回るものの合計個数であることを特徴とする請求項７に記載のＯＦＤＭ変調信号受信装置。
【請求項９】
前記区間内総計値は、１の分布周波数区間内に含まれる前記復調信号値のうち、前記判定値を上回るもの各々と前記判定値との差分の積分値であることを特徴とする請求項７に記載のＯＦＤＭ変調信号受信装置。
【請求項１０】
前記変調座標は、デジタル変調方式におけるコンスタレーションであって、
前記判定値は、前記コンスタレーション上の座標によって定められることを特徴とする請求項７に記載のＯＦＤＭ変調信号受信装置。
【請求項１１】
前記復調部は、前記ＯＦＤＭ変調信号をそのデータシンボル毎に復調し、
前記区間内総計値算出部は、前記分布周波数区間毎の前記区間内総計値を前記データシンボル毎に算出することを特徴とする請求項７に記載のＯＦＤＭ変調信号受信装置。
【請求項１２】
前記選択記憶部は、前記区間内総計値に応じて複数のノイズレベルデータのうちから選択した１つを前記１つのノイズレベルデータとすることを特徴とする請求項７に記載のＯＦＤＭ変調信号受信装置。
【請求項１３】
ＯＦＤＭ変調信号を受信しこれを復調及び復号して得られた復号信号に基づく表示を行うＯＦＤＭ変調信号受信表示装置であって、
前記ＯＦＤＭ変調信号を復調してサブキャリア毎に変調座標上の復調信号値を得る復調部と、
前記復調信号値と所定の判定値をとを比較して得られた比較結果値を前記サブキャリアの分布周波数区間毎に総計して前記分布周波数区間毎の区間内総計値を算出する区間内総計値算出部と、
前記区間内総計値に応じて選択したノイズレベルにより前記分布周波数区間毎のノイズレベル告知をなす選択告知部と、を含むことを特徴とするＯＦＤＭ変調信号受信表示装置。
【請求項１４】
前記区間内総計値は、１の分布周波数区間内に含まれる前記復調信号値のうち、前記判定値を上回るものの合計個数であることを特徴とする請求項１３に記載のＯＦＤＭ変調信号受信表示装置。
【請求項１５】
前記区間内総計値は、１の分布周波数区間内に含まれる前記復調信号値のうち、前記判定値を上回るもの各々と前記判定値との差分の積分値であることを特徴とする請求項１３に記載のＯＦＤＭ変調信号受信表示装置。
【請求項１６】
前記ノイズレベル告知は、画面表示又は音声によってなされることを特徴とする請求項１３に記載のＯＦＤＭ変調信号受信表示装置。
【請求項１７】
前記画面表示は、低周波領域から高周波領域まで順に並置した複数のレベル表示画像からなることを特徴とする請求項１６に記載のＯＦＤＭ変調信号受信表示装置。
【請求項１８】
前記複数のレベル表示画像は、色の濃淡、色の種類、及び表示パターンのうちの少なくとも１つによって互いに識別可能な画像からなることを特徴とする請求項１７に記載のＯＦＤＭ変調信号受信表示装置。
【発明の詳細な説明】
【技術分野】
【０００１】
本発明は、ＯＦＤＭ（Orthogonal Frequency-Division Multiplexing：直交周波数分割多重方式）によって変調された信号を復調するＯＦＤＭ復調器、これを含む受信装置、及び、復号信号に基づく表示機能を更に有する受信表示装置に関する。
【背景技術】
【０００２】
ＯＦＤＭ復調器を備える装置においては種々のノイズが生じ得る。例えば、高負荷動作するＣＰＵが装置に搭載されている場合には、当該ＣＰＵの動作によって雑音が生じ得る。また、例えば、当該装置がカーナビゲーション装置である場合には、当該装置を搭載した自動車の電子制御機構からもノイズが生じ得る。ＯＦＤＭ復調器が正常に動作していない場合には、このような設計上意図しない種々のノイズのうちから受信障害の原因となるノイズを特定してノイズ対策を施すべきである。例えば特許文献１には、予想される複数の受信障害原因に応じた特徴パターンをデータベースに格納しておき、実際のＯＦＤＭ変調受信信号から得られる特徴パターンとの比較により受信障害原因を特定する技術が開示されている。
【先行技術文献】
【特許文献】
【０００３】
【特許文献１】特開２００４−２０１００３号公報
【発明の概要】
【発明が解決しようとする課題】
【０００４】
一般にノイズ周波数はその発生源の種類や状態に応じて異なり、あるノイズ発生源はある特定周波数のノイズ（以下、スプリアス性ノイズと称する）を発生させると考えられる。一方、ＯＦＤＭ復調器を備える装置の開発過程や実使用時において、全てのスプリアス性ノイズの発生源の種類や状態を予め想定することは困難である。それ故、特許文献１に開示されている技術のように特定のパターンのみを予めデータベース化しておき、実際のＯＦＤＭ変調受信信号のパターンと比較する方法によっては、受信障害の原因を特定し通信品質を向上させ得る情報をユーザーに提供することは困難であると考えられる。
【０００５】
本発明は上記した如き問題点に鑑みてなされたものであって、受信障害の原因を特定し得る情報をユーザーに提供して通信品質を向上させ得るＯＦＤＭ変調信号復調器、受信装置及び受信表示装置を提供することを目的とする。
【課題を解決するための手段】
【０００６】
本発明によるＯＦＤＭ変調信号復調器は、ＯＦＤＭ変調信号を復調するＯＦＤＭ変調信号復調器であって、前記ＯＦＤＭ変調信号を復調してサブキャリア毎に変調座標上の復調信号値を得る復調部と、前記復調信号値と所定の判定値とを比較して得られた比較結果値を前記サブキャリアの分布周波数区間毎に総計して前記分布周波数区間毎の区間内総計値を算出する区間内総計値算出部と、前記分布周波数区間毎に前記区間内総計値に応じて１つのノイズレベルデータを記憶する選択記憶部と、を含むことを特徴とする。
【０００７】
本発明によるＯＦＤＭ変調信号受信装置は、ＯＦＤＭ変調信号を受信してこれを復調するＯＦＤＭ変調信号受信装置であって、前記ＯＦＤＭ変調信号を復調してサブキャリア毎に変調座標上の復調信号値を得る復調部と、前記復調信号値と所定の判定値とを比較して得られた比較結果値を前記サブキャリアの分布周波数区間毎に総計して前記分布周波数区間毎の区間内総計値を算出する区間内総計値算出部と、前記分布周波数区間毎に複数のノイズレベルデータのうちから前記区間内総計値に応じて１つのノイズレベルデータを選択してこれを出力する出力部と、含むことを特徴とする。
【０００８】
本発明によるＯＦＤＭ変調信号受信表示装置は、ＯＦＤＭ変調信号を受信しこれを復調及び復号して得られた復号信号に基づく表示を行うＯＦＤＭ変調信号受信表示装置であって、前記ＯＦＤＭ変調信号を復調してサブキャリア毎に変調座標上の復調信号値を得る復調部と、前記復調信号値と所定の判定値をとを比較して得られた比較結果値を前記サブキャリアの分布周波数区間毎に総計して前記分布周波数区間毎の区間内総計値を算出する区間内総計値算出部と、前記区間内総計値に応じて選択したノイズレベルにより前記分布周波数区間毎のノイズレベル告知をなす選択告知部と、を含むことを特徴とする。
【発明の効果】
【０００９】
本発明によるＯＦＤＭ変調信号復調器、受信装置及び受信表示装置によれば、周波数分布区間毎のノイズの発生状況及びノイズレベルをユーザーが大まかに把握して受信品質を向上させるための方策を試みることが容易になる。
【００１０】
特に、本発明によるＯＦＤＭ変調信号復調器が移動体に搭載される場合には、実際の移動に伴って変化する受信状況を大まかに把握しつつ、移動体内に設けられた他電気装置との相対的な位置関係の調整等の対策を講じることができる。
【図面の簡単な説明】
【００１１】
【図１】本発明の実施例であるＯＦＤＭ変調信号受信装置の構成を示すブロック図である。
【図２】（ａ）は、ＯＦＤＭ送信信号を示すタイムチャートである。（ｂ）は、スプリアス性ノイズを示すタイムチャートである。（ｃ）は、ＯＦＤＭ受信信号を示すタイムチャートである。
【図３】コンスタレーションとノイズ判定値との関係を示す図である。
【図４】復調信号とノイズについてのコンスタレーション上の座標及びベクトルを示す図である。
【図５】（ａ）は、ＯＦＤＭ受信信号とスプリアス性ノイズを示すタイムチャートである。（ｂ）は、ノイズレベルに応じた画面表示の一例を示す図である。（ｃ）は、ノイズレベルと画面表示パターンの対応の一例を示す図である。
【発明を実施するための形態】
【００１２】
以下、本発明に係る実施例について添付の図面を参照しつつ詳細に説明する。
【００１３】
図１には、本発明の実施例であるＯＦＤＭ変調信号受信表示装置１（以下、単に受信装置１と称する）の構成が示されている。受信装置１は、アンテナ２を備え、ＯＦＤＭ変調信号を捕捉することができる。受信装置１は例えばカーナビゲーション装置である。ＯＦＤＭ変調信号は例えば地上波デジタル放送信号である。この場合、後述の表示部８にはカーナビゲーション機能による地図情報と地上波デジタル放送番組の映像とを選択的に表示することができる。
【００１４】
ＲＦ部３は、アンテナ２によって捉えられた様々な受信信号を入力信号とし、これに所定の信号処理を施してＯＦＤＭ復調器４に供給する。詳細には、ＲＦ部３は、まず微小信号である受信信号を増幅して得られた信号を中間周波数信号に変換する。ＲＦ部３は、次に、中間周波数信号から１つのチャネル信号を選択し、これを更に増幅してＯＦＤＭ復調器４に供給する。
【００１５】
ＯＦＤＭ復調器４は、ＲＦ部３から供給されるＯＦＤＭ変調信号を復調及び復号して得られたデジタル信号を後段のデコーダ７に供給する。ＯＦＤＭ復調器４は、１つのＬＳＩすなわち半導体装置として構成することができる。
【００１６】
復調部５は、ＲＦ部３から供給されるＯＦＤＭ変調信号を復調して、当該変調信号の搬送波であるサブキャリア毎に複素変調座標上の信号（以下、復調信号と称する）を得る。すなわち、復調部５は、ＯＦＤＭ変調信号に対していわゆるデマッピングを行い、変調信号の複素座標位置に対応した復調信号に変換する。当該複素変調座標は、いわゆるコンスタレーション（図３）である。復調信号の信号値は、コンスタレーション上の座標として表される。なお、当該復調処理は、ＯＦＤＭ変調信号に対して一般的な直並列変換、離散フーリエ変換、等化、並直列変換の各処理を順次施すことによってなされる。
【００１７】
復号部６は、復調信号を復号して得られたデジタル信号を後段のデコーダ７に供給する。復号処理は、復調信号に対して、例えば、誤り訂正復号に関する処理（例えばデインターリーブ処理やビタビ復号処理）、エネルギー逆拡散処理、ＲＳ復号処理、信号フォーマットの変換処理を順次施すことによってなされる。
【００１８】
デコーダ７は、復号部６から供給されるデジタル信号に基づいて映像を再生する。
【００１９】
表示部８は、デコーダ７によって再生された映像を表示する。表示部８は例えば液晶ディスプレイである。
【００２０】
区間内総計値算出部９は、復調信号値と所定の判定値とを比較して得られた比較結果値を所定の周波数区間（以下、積分区間と称する）毎に総計して、当該積分区間毎の区間内総計値を算出する。区間内総計値は、１の積分区間内に含まれる復調信号値のうち、判定値を上回るものの合計個数として算出される。積分区間は、全サブキャリアの分布周波数区間内に２つ以上含まれる。積分区間の範囲及び個数は、後述の制御部１３によって設定される。区間内総計値算出部９は、例えば、コンスタレーション判定部１０と、積分部１１と、カウンタ１２と、制御部１３とから構成され得る。
【００２１】
コンスタレーション判定部１０は、復調部５から供給される復調信号の複素変調座標上の信号値と所定の判定値とを比較して比較結果値を得る。詳細には、コンスタレーション判定部１０は、復調部５から供給される復調信号の複素変調座標上の信号値が所定の判定値を上回っているか否かをサブキャリア毎に判定する。判定対象の積分区間内に生じるノイズが大きければ、信号値が判定値を上回る。コンスタレーション判定部１０は、当該判定の結果を示す比較結果値を出力する。比較結果値は、例えば、信号値が判定値を上回っていると判定した場合（以下、強ノイズ判定と称する）には「１」、信号値が判定値以下であると判定した場合（以下、弱ノイズ判定と称する）には「０」というように２値のデータとして表される。なお、当該判定の詳細については後述する（図３及び図４）。コンスタレーション判定部１０は、その判定結果を積分部１１に供給する。
【００２２】
積分部１１は、積分区間毎に比較結果値を総計して区間内総計値を得る。詳細には、積分部１１は、積分区間毎に強ノイズ判定数を合計して区間内総計値を得る。換言すれば、積分部１１は、１の積分区間内に含まれる複数の復調信号値のうち、当該判定値を上回る信号値（すなわち、強ノイズ判定された信号値）の合計個数を区間内総計値として算出する。積分部１１は、積分区間毎の区間内総計値を検出判定部１５に供給する。
【００２３】
カウンタ１２は、全サブキャリアの分布周波数区間の全範囲又は一部を複数の積分区間に分割するためのカウント値を生成する。ユーザーは、積分区間の範囲及び個数の設定指令をカウンタ１２に対して予め入力することができる。
【００２４】
制御部１３は、カウンタ１２のカウント値に応じて積分区間の範囲及び個数を積分部１１に設定する。また、制御部１３は、メモリ１６へのアクセスタイミングやノイズレベルデータの記憶領域指定についても制御する。
【００２５】
選択記憶部１４は、分布周波数区間毎に区間内総計値に応じて複数のノイズレベルデータのうちの１つを選択し、これを記憶する。選択記憶部１４は、例えば、検出判定部１５と、メモリ１６とから構成され得る。
【００２６】
検出判定部１５は、積分部１１から供給される積分区間毎の区間内総計値に応じて、積分区間毎に、表示が互いに異なる複数のノイズレベルデータのうちの１つを選択する。当該選択の詳細については後述する（図５）。検出判定部１５は、複数のノイズレベルデータを予め保持している。
【００２７】
メモリ１６は、積分区間毎に当該選択されたノイズレベルデータを記憶する。メモリ１６は、例えばＬＳＩ内キャッシュメモリである。
【００２８】
メモリＩ／Ｆ１７は、メモリ１６と外部との間のインターフェースである。
【００２９】
ＣＰＵ１８は、メモリ１６に記憶されている積分区間毎のノイズレベルデータをメモリＩ／Ｆ１７を介して例えば１秒おきなどの所定間隔毎に読み出して告知部１９に供給する。
【００３０】
告知部１９は、ＣＰＵ１８から供給されるノイズレベルデータに基づいて、サブキャリア分布周波数区間内に生じたノイズの強度についての告知をユーザーに対して行なう。告知は、例えば画面表示や音声によってなされる。また、告知は、例えば１秒おきなどの所定間隔毎になされる。告知部１９は、受信装置１内にディスプレイやスピーカとして設けられても良いし、受信装置１外に設けられたパーソナルコンピュータ等の表示機能を備える機器であっても良い。当該告知の詳細については後述する（図５）。
【００３１】
以下、上記機能ブロック１５〜１８を出力部と称し、上記機能ブロック１５〜１９を選択告知部と称する。
【００３２】
以下、図２を参照しつつ、ＯＦＤＭ変調信号とノイズとの関係について説明する。図２（ａ）に示されるように、ＯＦＤＭ送信信号においては、複数のサブキャリア２０が互いに直交して周波数軸上に分布している。例えば、地上波デジタル放送の場合には約１ｍｓ周期で５６１６個のサブキャリアによる通信がなされる。また、図２（ｂ）に示されるように、受信装置１においては、スプリアス性ノイズ２１がサブキャリア２０の分布周波数区間内に生じ得る。例えば、高負荷処理を行なうＣＰＵ１８がノイズ源となり得る。また、受信装置１がカーナビゲーション装置である場合には、自動車の電子制御機構もノイズ源となり得る。スプリアス性ノイズ２１の周波数はノイズ源の動作周波数等によって異なるので、複数の周波数においてノイズのピークが生じ得る。図２（ｃ）に示されるように、ＯＦＤＭ受信信号においては、サブキャリア２０毎にノイズの影響度が異なる。
【００３３】
以下、図３を参照しつつ、コンスタレーションと所定の判定値との関係について説明する。横軸が実数値、縦軸が虚数値であるコンスタレーション上には、６４個の複素座標３０が示されている。図３は、変調方式として６４ＱＡＭを用いた場合の例である。複素座標３０の各々は、サブキャリアの変調位相及び変調振幅に対応する位置に存在する。また、複素座標３０は、「００００００」から「１１１１１１」までのデジタルデータ値の１つとそれぞれ対応付けられている。各サブキャリアの信号値は、ノイズの影響を受けない場合には、６４個の複素座標３０のうちの１つに対応する。
【００３４】
図３には、２つの判定値Ｈ１及びＨ２が示されている。判定値Ｈ１を用いる場合、実数軸上のプラス側閾値ｒｐ及びマイナス側閾値ｒｍ、虚数軸上のプラス側閾値ｉｐ及びマイナス側閾値ｉｍが予め設定される。コンスタレーション判定部１０は、復調信号の実数座標値がプラス側閾値ｒｐ以上であるか及びマイナス側閾値ｒｍ以下であるか、並びに、復調信号の虚数座標値がプラス側閾値ｉｐ以上であるか及びマイナス側閾値ｉｍ以下であるかを判定する。コンスタレーション判定部１０は、復調信号値がこれらの条件に合致する場合には判定結果を強ノイズ判定とし、これらの条件に合致しない場合には判定結果を弱ノイズ判定とする。
【００３５】
判定値Ｈ２を用いる場合、サブキャリアの振幅ｐを半径とする円ｑ上の座標値が閾値として予め設定される。この場合、コンスタレーション判定部１０は、復調信号の複素座標上のベクトルの大きさが円ｑの振幅ｐ以上であるかを判定する。コンスタレーション判定部１０は、ベクトルの大きさが振幅ｐ以上である場合には判定結果を強ノイズ判定とし、ベクトルの大きさが振幅ｐを下回る場合には判定結果を弱ノイズ判定とする。
【００３６】
コンスタレーション判定部１０は、サブキャリア毎にこれらの判定を行なう。また、コンスタレーション判定部１０は、ＯＦＤＭ変調信号の１シンボルデータ毎に判定を行なう。
【００３７】
以下、図４を参照しつつ、コンスタレーション判定部１０による判定処理の一例について説明する。ここでは判定値Ｈ１を用いる場合について説明する。
【００３８】
図４には、復調部５が、ある１つのサブキャリアについて復調処理を施したときに本来得られるべき復調信号のコンスタレーション上の座標３１及びベクトルＳ１が示されている。当該１つのサブキャリアの分布周波数区間内にノイズが生じていない場合には、復調処理によって実際に得られる復調信号の座標も座標３１となる。座標３１の実数座標値ｒｓは実数軸上のマイナス側閾値ｒｍ以下であり、且つ座標３１の虚数座標値ｉｓは虚数軸上のプラス側閾値ｉｍ以下である。それ故、コンスタレーション判定部１０は、判定結果を弱ノイズ判定とする。コンスタレーション判定部１０は、当該１つのサブキャリアの分布周波数区間の情報と共に、判定結果が弱ノイズ判定であることを示す情報（例えばデータ値「０」）を積分部１１に供給する。
【００３９】
一方、当該１つのサブキャリアの分布周波数区間内にベクトルＮ１によって示されるノイズが生じている場合、復調処理によって実際に得られる復調信号の座標３２は、ベクトルＳ１とベクトルＮ１の合成ベクトルＣ１によって示される位置となる。座標３２の実数座標値ｒｃは実数軸上のマイナス側閾値ｒｍ以下ではない。一方、座標３２の虚数座標値ｉｃは虚数軸上のプラス側閾値ｉｍ以上であるので、コンスタレーション判定部１０は、判定結果を強ノイズ判定とする。コンスタレーション判定部１０は、当該１つのサブキャリアの分布周波数区間の情報と共に、判定結果が強ノイズ判定であることを示す情報（例えばデータ値「１」）を積分部１１に供給する。
【００４０】
コンスタレーション判定部１０は、サブキャリア毎に同様の判定を行ない、その判定結果を積分部１１に供給する。また、コンスタレーション判定部１０は、ＯＦＤＭ変調信号のデータシンボル毎に上記動作を行なう。なお、上記例は判定値Ｈ１を用いた場合の例であるが、図３に示される判定値Ｈ２を用いた場合にも、復調信号値が判定値Ｈ２を上回っているか否かをコンスタレーション判定部１０が同様に判定する。
【００４１】
以下、図５を参照しつつ、ＯＦＤＭ復調器４によるノイズ強度判定及びその判定結果に基づく告知動作について説明する。
【００４２】
先ず、復調部５が、ＲＦ部３から供給されるＯＦＤＭ変調信号を復調して、サブキャリア毎の復調信号を得る。図５（ａ）に示されるように、複数のサブキャリア２０が互いに直交して周波数軸上に分布している。また、ピーク周波数が異なる複数のスプリアス性ノイズ２１が、サブキャリア２０の周波数分布区間内に生じ得る。それ故、復調信号に対するスプリアス性ノイズ２１の影響度はサブキャリア２０毎に異なる。
【００４３】
次に、コンスタレーション判定部１０は、復調部５から供給される復調信号の信号値がコンスタレーション上の判定値を上回るか否かをサブキャリア２０毎に判定する。コンスタレーション判定部１０は、判定対象とするサブキャリア２０の周波数分布区間内に生じるスプリアス性ノイズ２１の大きさに応じて、判定結果を強ノイズ判定及び弱ノイズ判定のいずれかとする。
【００４４】
次に、積分部１１は、カウンタ１２のカウント値に応じて制御部１３が設定した積分区間ｆ１、ｆ２、・・・、ｆｎ毎に強ノイズ判定とされた信号値の総数を区間内総計値ｇ１、ｇ２、・・・、ｇｎとして算出する（ｎは２以上の整数）。図５（ａ）に示される例の場合、積分区間ｆ１に属するサブキャリア２０の各々がスプリアス性ノイズ２１の影響を受けている。一方、積分区間ｆ２においてスプリアス性ノイズ２１の影響を受けるサブキャリア２０の数は比較的少ない。それ故、積分区間ｆ２の区間内総計値ｇ２は積分区間ｆ１の区間内総計値ｇ１よりも小さい値となる。
【００４５】
次に、検出判定部１５は、積分部１１によって算出された積分区間毎の区間内総計値ｇ１〜ｇｎに応じて、積分区間毎に１つのノイズレベルデータを選択する。検出判定部１５は、例えば、区間内総計値が１２５以下の場合にはノイズレベルデータｄ１、区間内総計値が１２６〜２５０の場合にはノイズレベルデータｄ２、区間内総計値が２５１〜３７５の場合にはノイズレベルデータｄ３、区間内総計値が３７６以上の場合にはノイズレベルデータｄ４というように区間内総計値とノイズレベルデータとを予め対応付けたテーブルを保持している。例えば、区間内総計値ｇ１が４００であり、区間内総計値ｇ２が３００である場合、検出判定部１５は、積分区間ｆ１についてはノイズレベルデータｄ４を選択し、積分区間ｆ２についてはノイズレベルデータｄ３を選択する。ノイズレベルデータｄ１、ｄ２、ｄ３、ｄ４はそれぞれ、例えば、「００」、「０１」、「１０」、「１１」の２進数データによって表現し得る。積分区間毎のノイズレベルデータはメモリ１６に記憶される。ノイズレベルデータの記憶領域は制御部１３によって指定される。
【００４６】
復調部５、コンスタレーション判定部１０、積分部１１、及び検出判定部１５は、上記処理を、例えば１秒間隔などの周期的に実行する。メモリ１６には、各周期における積分区間毎のノイズレベルデータが記憶される。
【００４７】
ＣＰＵ１８は、１つの周期に属する積分区間毎のノイズレベルデータを例えば１秒間隔などの周期的にメモリ１６から読み出す。ノイズレベルデータはメモリＩ／Ｆ１７を介して読み出される。ＣＰＵ１８は、読み出したノイズレベルデータを告知部１９に供給する。
【００４８】
次に、告知部１９は、ＣＰＵ１８から供給されるノイズレベルデータに対応する告知をユーザーに対して行なう。図５（ｂ）に示されるように、告知部１９は、画面へのノイズレベル表示１３−１、１３−２、・・・、１３−ｎによって告知を行なうことができる。ノイズレベル表示１３−１、１３−２、・・・、１３−ｎはそれぞれ、積分区間ｆ１、ｆ２、・・・、ｆｎに対応している。すなわち、画面には、判定対象となるサブキャリアの周波数分布区間の低周波領域から高周波領域に亘って積分区間毎にノイズレベルが並置されて表示される。
【００４９】
図５（ｃ）に示されるように、ノイズレベルは色の濃淡によって表される。例えば、スプリアス性ノイズレベルが大きいほど濃い色によって表示されるように予め設定されている。図５（ａ）及び（ｂ）に示される例の場合、積分区間ｆ１の区間内総計値ｇ１が比較的多いのでノイズレベル表示１３−１の色が濃くなっている。一方、積分区間ｆ２の区間内総計値ｇ２は比較的少ないのでノイズレベル表示１３−２の色は、ノイズレベル表示１３−１の色よりも薄くなっている。受信装置１のユーザーや開発者は、ノイズレベル表示の色の濃淡により、どの周波数帯にスプリアス性ノイズが発生しているかを一目で把握することができる。ノイズレベル表示は、ＣＰＵ１８によるノイズレベルデータの読出し周期毎に更新表示される。
【００５０】
上記したように、本実施例の受信装置１においては、受信ＯＦＤＭ変調信号を復調して得られたサブキャリア毎の復調信号値とコンスタレーション上の判定値とを比較する。そして、復調信号値のうち判定値を上回る信号値の個数を所定周波数区間毎に区間内総計値として算出する。更に、区間内総計値に応じて、複数のノイズレベルデータのうちから１つのノイズレベルデータを選択する。かかる動作は所定周期毎に実行され、選択されたノイズレベルデータは受信装置１内のメモリに順次記憶される。
【００５１】
このように、本実施例の受信装置１においては、最終的に得られる復号信号からではなく、復号処理の前段階である復調処理によって得られた復調信号から受信障害の原因を特定し得る情報を提供する。特に、周波数軸上に分布するサブキャリア毎に復調信号値とコンスタレーション上の判定値とを比較するので、どの周波数に大きなスプリアス性ノイズが生じているのかを把握することができる。かかる効果は、単に最終的な復号信号の良否を判定するだけでは得られないものであり、受信装置１の構成によってはじめて得られるものである。
【００５２】
また、受信装置１においては、サブキャリア毎のノイズ値そのものをメモリ１６に記憶するのではなく、周波数軸上のスプリアス性ノイズの分布状態を示すデータをメモリ１６に記憶する。すなわち、一定の積分区間毎に強ノイズ判定個数を求め、その個数に応じた１つのノイズレベルデータを積分区間毎にメモリ１６に記憶する。かかる動作により、１つの積分区間に含まれる複数のノイズ強度値を圧縮して、１つの積分区間におけるノイズレベル情報とすることができる。地上波デジタル放送の場合、約１ｍｓ周期で５６１６個のサブキャリアが伝送される。仮に情報圧縮せずにサブキャリア毎のノイズ強度を例えば８ビットの数値で表す場合には、８×１ｋ×５６１６＝約４５Ｍｂｉｔ／ｓものデータ量が必要になり、地上波デジタル放送の伝送情報量約２０Ｍｂｉｔ／ｓより大きくなってしまう。それ故、例えばＣＰＵ１８がノイズ強度値を読み出す動作自体が新たなスプリアス性ノイズの発生源ともなり得る。翻って、本実施例の受信装置１においては、情報圧縮により、かかる問題をも解消することができる。
【００５３】
また、受信装置１においては、メモリ１６に記憶されているデータに基づいて、受信障害の原因を特定し通信品質を向上させ得る受信状態情報をユーザーに提供することができる。例えば、受信装置１は、サブキャリア分布周波数区間内におけるノイズレベル分布を画面表示等の方法によってユーザーに示すことができる。この際、低周波領域から高周波領域に亘って一定周波数区間毎のノイズレベル表示を行うので、受信装置１のユーザーや開発者がどの周波数帯にどの程度の大きさのスプリアス性ノイズが生じているのかを視認により簡単に把握することができる。例えば、受信装置１がカーナビゲーション装置であり、その開発者が受信装置１を自動車に搭載して路上を走行しながらノイズ状態を随時確認することもできる。すなわち、ＯＦＤＭ復調器４単体ではなく、ＯＦＤＭ復調器４を受信装置１に組み込み、更に受信装置１の実際の使用状況下において生じるスプリアス性ノイズを容易に観測して方策を講じることができる。
【００５４】
一般にスプリアス性ノイズの周波数はそのノイズ源に応じて異なるので、ユーザー等は周波数軸上のノイズレベル分布からノイズ源を特定して適当なノイズ対策を施すことができる。ノイズ対策としては、例えば、アンテナ２の指向特性、受信装置１内に設けられたＣＰＵその他の素子及び装置の動作特性、車内における受信装置１の搭載位置、車内の電子制御機構の動作特性等の調整が挙げられる。かかる調整により、スプリアス性ノイズの発生を抑制し、最終的に所望のＯＦＤＭ受信復調系を実現し得る。
【００５５】
上記実施例は、区間内総計値算出部９によって算出される区間内総計値が、１の積分区間内に含まれる復調信号値のうち、所定の判定値を上回るもの（強ノイズ判定とされた復調信号）の合計個数である場合の例であるが、これに限られない。区間内総計値算出部９は、１の積分区間内に含まれる復調信号値のうち、所定の判定値を上回るもの各々と当該判定値との差分の積分値を区間内総計値として算出することができる。この場合、コンスタレーション判定部１０は、強ノイズ判定とされた復調信号の信号値と判定値との差分を示す比較結果値を出力する。比較結果値は、差分そのものを示す差分値として表される。積分部１１は、積分区間毎に当該差分値を積分して区間内総計値を得る。積分部１１は、積分区間毎の区間内総計値を検出判定部１５に供給する。かかる動作によっても、上記実施例と同様の効果を奏することができる。
【００５６】
また、上記実施例は、ノイズレベルを色の濃淡によって段階的に表示する場合の例であるが、これに限られない。例えば、複数種類の色、複数の表示パターン、複数の文字、又はこれらの組合せを用いることによっても積分区間毎のノイズレベルを段階的に表示することができる。また、上記実施例は、ノイズレベルを４段階で示す場合の例であるが、これに限られない。例えば、ノイズレベルが許容範囲内であることを示す表示及び許容範囲外であることを示す表示からなる２段階表示（例えば「○」及び「×」の表示）としても良い。また、単一の表示色を用いてノイズレベルが許容範囲外となる積分区間についてのみ点滅表示させる構成としても良い。また、上記実施例は、画面表示によってユーザー等への告知を行なう構成であるが、これに限られない。例えば、音声によって告知を行なうこともできる。この場合、強ノイズ判定となる積分区間の周波数軸上の位置に応じて音声の種類や音量を変更する構成とし得る。例えば、強ノイズ判定となる積分区間が、主に低周波領域に存在する場合には低音、主に高周波領域に存在する場合には高音をそれぞれ出力する構成とすることができる。
【００５７】
また、上記実施例は、告知部１９が画面表示等によりノイズ強度についての告知を行なう場合の例であるが、これに限られない。当該告知は、表示部８が画面表示によって行うこともできる。この場合、ＣＰＵ１８が、メモリ１６からノイズレベルデータを読み出し、当該データに応じた表示信号を表示部８に供給する。表示信号は、色の濃淡等によってノイズレベルを示す表示（例えば図５（ｂ）に示される表示）を表示部８に画面表示させる信号である。かかる動作によっても、上記実施例と同様の効果を奏することができる。
【符号の説明】
【００５８】
１  ＯＦＤＭ変調信号受信表示装置
２  アンテナ
３  ＲＦ部
４  ＯＦＤＭ復調器
５  復調部
６  復号部
７  デコーダ
８  表示部
９  区間内総計値算出部
１０  コンスタレーション判定部
１１  積分部
１２  カウンタ
１３  制御部
１４  選択記憶部
１５  検出判定部
１６  メモリ
１７  メモリＩ／Ｆ
１８  ＣＰＵ
１９  告知部
【図１】
2014023107.tif 000003
【図２】
2014023107.tif 000004
【図３】
2014023107.tif 000005
【図４】
2014023107.tif 000006
【図５】
2014023107.tif 000007